(57)【特許請求の範囲】
【請求項１】
第１時刻を表示する第１時針および第１分針を有する第１指針と、
第２時刻を表示する第２時針および第２分針を有し、前記第１指針とは指針軸の位置が異なる第２指針と、
前記第１指針および前記第２指針とは指針軸の位置が異なる指示針と、
操作部と、
前記操作部の修正モード設定操作に応じて、前記第１時刻を修正する第１時刻修正モードまたは前記第２時刻を修正する第２時刻修正モードを設定する修正モード設定部と、
前記第１時刻修正モードが設定された場合、修正対象の指針が前記第１指針であることを示す第１指示位置を前記指示針に指示させ、前記第２時刻修正モードが設定された場合、修正対象の指針が前記第２指針であることを示す第２指示位置を前記指示針に指示させる表示制御部と、を備える
ことを特徴とする電子機器。
【請求項２】
第１時刻を表示する第１時針および第１分針を有する第１指針と、
第２時刻を表示する第２時針および第２分針を有し、前記第１指針とは指針軸の位置が異なる第２指針と、
前記第１指針および前記第２指針とは指針軸の位置が異なる指示針と、
操作部と、
時刻修正モードに移行させる前記操作部の修正モード移行操作に応じて、前記第１時刻を修正する第１時刻修正モードを設定し、前記時刻修正モードの種類を切り替えさせる前記操作部の修正モード切替操作に応じて、前記第１時刻修正モードまたは前記第２時刻を修正する第２時刻修正モードを切り替えて設定する修正モード設定部と、
前記修正モード移行操作に応じて前記第１時刻修正モードが設定された場合、修正対象の指針が前記第１指針であることを示す第１指示位置を前記指示針に指示させず、前記修正モード切替操作に応じて前記第１時刻修正モードが設定された場合、前記第１指示位置を前記指示針に指示させ、前記第２時刻修正モードが設定された場合、修正対象の指針が前記第２指針であることを示す第２指示位置を前記指示針に指示させる表示制御部と、を備える
ことを特徴とする電子機器。
【請求項３】
請求項１または請求項２に記載の電子機器において、
前記表示制御部は、前記指示針に、前記第１指示位置として、前記指示針の指示方向に前記第１指針の指針軸が位置する指示位置を指示させ、前記第２指示位置として、前記指示針の指示方向に前記第２指針の指針軸が位置する指示位置を指示させる
ことを特徴とする電子機器。
【請求項４】
請求項１または請求項２に記載の電子機器において、
前記指示針の指針軸は、前記第１指針および前記第２指針の少なくとも一方の指針の先端が描く円の外側に位置し、
前記表示制御部は、前記指示針に、修正対象の指針が前記一方の指針であることを示す指示位置として、前記指示針の指示方向に伸びる直線が前記円と交差する範囲の所定位置を指示させる
ことを特徴とする電子機器。
【請求項５】
請求項１から請求項４のいずれか１項に記載の電子機器において、
前記表示制御部は、前記指示針に前記第１指示位置または前記第２指示位置を指示させた後、予め設定された指示時間が経過すると、前記指示針に前記第１指示位置および前記第２指示位置とは異なる位置を指示させて所定の情報を表示させる
ことを特徴とする電子機器。
【請求項６】
請求項１から請求項５のいずれか１項に記載の電子機器において、
前記表示制御部は、前記指示針に前記第１指示位置または前記第２指示位置を指示させている場合、前記操作部の操作に応じて、前記指示針に前記第１指示位置および前記第２指示位置とは異なる位置を指示させて所定の情報を表示させる
ことを特徴とする電子機器。
【請求項７】
請求項５または請求項６に記載の電子機器において、
前記所定の情報は、夏時間の設定である
ことを特徴とする電子機器。
【請求項８】
請求項１から請求項７のいずれか１項に記載の電子機器において、
前記第１時刻修正モードが設定されている場合、前記操作部のタイムゾーン修正操作に応じて前記第１時刻のタイムゾーンデータを修正し、前記第２時刻修正モードが設定されている場合、前記操作部の前記タイムゾーン修正操作に応じて前記第２時刻のタイムゾーンデータを修正するタイムゾーン設定部と、
修正された前記第１時刻のタイムゾーンデータに基づいて前記第１時刻を修正し、修正された前記第２時刻のタイムゾーンデータに基づいて前記第２時刻を修正する時刻修正部と、を備える
ことを特徴とする電子機器。
【請求項９】
請求項８に記載の電子機器において、
タイムゾーンデータを表示するタイムゾーン指針を備え、
前記表示制御部は、前記第１時刻修正モードが設定された場合、前記第１時刻のタイムゾーンデータを前記タイムゾーン指針に表示させ、前記第２時刻修正モードが設定された場合、前記第２時刻のタイムゾーンデータを前記タイムゾーン指針に表示させる
ことを特徴とする電子機器。
【請求項１０】
請求項９に記載の電子機器において、
前記表示制御部は、前記第１時刻修正モードまたは前記第２時刻修正モードが設定され、前記指示針および前記タイムゾーン指針を移動させる場合、前記指示針および前記タイムゾーン指針を同時に移動させる
ことを特徴とする電子機器。
【請求項１１】
請求項９に記載の電子機器において、
前記表示制御部は、前記第１時刻修正モードまたは前記第２時刻修正モードが設定され、前記指示針および前記タイムゾーン指針を移動させる場合、前記指示針を移動させ、前記指示針を移動させた後に前記タイムゾーン指針を移動させ、前記タイムゾーン指針を移動させた後に前記指示針に前記第１指示位置および前記第２指示位置とは異なる位置を指示させて所定の情報を表示させる
ことを特徴とする電子機器。
【請求項１２】
請求項９から請求項１１のいずれか１項に記載の電子機器において、
文字板を備え、
前記第１指針および前記タイムゾーン指針は、指針軸が前記文字板の平面中心に位置している
ことを特徴とする電子機器。
【請求項１３】
請求項１から請求項１２のいずれか１項に記載の電子機器において、
前記表示制御部は、前記第１時刻修正モードまたは前記第２時刻修正モードが設定された場合、前記第１時針、前記第１分針、前記第２時針、前記第２分針を継続して運針させる
ことを特徴とする電子機器。
【請求項１４】
第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部とを備える電子機器の時刻修正方法であって、
前記操作部の修正モード設定操作に応じて、前記第１時刻を修正する第１時刻修正モードまたは前記第２時刻を修正する第２時刻修正モードを設定するステップと、
前記第１時刻修正モードが設定された場合、修正対象の指針が前記第１指針であることを示す第１指示位置を前記指示針に指示させるステップと、
前記第２時刻修正モードが設定された場合、修正対象の指針が前記第２指針であることを示す第２指示位置を前記指示針に指示させるステップと、を備える
ことを特徴とする時刻修正方法。
【請求項１５】
第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部とを備える電子機器の時刻修正方法であって、
時刻修正モードに移行させる前記操作部の修正モード移行操作に応じて、前記第１時刻を修正する第１時刻修正モードを設定するステップと、
前記時刻修正モードの種類を切り替えさせる前記操作部の修正モード切替操作に応じて、前記第１時刻修正モードまたは前記第２時刻を修正する第２時刻修正モードを切り替えて設定するステップと、
前記修正モード移行操作に応じて前記第１時刻修正モードが設定された場合、修正対象の指針が前記第１指針であることを示す第１指示位置を前記指示針に指示させず、前記修正モード切替操作に応じて前記第１時刻修正モードが設定された場合、前記第１指示位置を前記指示針に指示させるステップと、
前記第２時刻修正モードが設定された場合、修正対象の指針が前記第２指針であることを示す第２指示位置を前記指示針に指示させるステップと、を備える
ことを特徴とする時刻修正方法。
【請求項１６】
第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部とを備える電子機器に、
前記操作部の修正モード設定操作に応じて、前記第１時刻を修正する第１時刻修正モードまたは前記第２時刻を修正する第２時刻修正モードを設定するステップと、
前記第１時刻修正モードが設定された場合、修正対象の指針が前記第１指針であることを示す第１指示位置を前記指示針に指示させるステップと、
前記第２時刻修正モードが設定された場合、修正対象の指針が前記第２指針であることを示す第２指示位置を前記指示針に指示させるステップと、を実行させる
ことを特徴とする時刻修正プログラム。
【請求項１７】
第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部とを備える電子機器に、
時刻修正モードに移行させる前記操作部の修正モード移行操作に応じて、前記第１時刻を修正する第１時刻修正モードを設定するステップと、
前記時刻修正モードの種類を切り替えさせる前記操作部の修正モード切替操作に応じて、前記第１時刻修正モードまたは前記第２時刻を修正する第２時刻修正モードを切り替えて設定するステップと、
前記修正モード移行操作に応じて前記第１時刻修正モードが設定された場合、修正対象の指針が前記第１指針であることを示す第１指示位置を前記指示針に指示させず、前記修正モード切替操作に応じて前記第１時刻修正モードが設定された場合、前記第１指示位置を前記指示針に指示させるステップと、
前記第２時刻修正モードが設定された場合、修正対象の指針が前記第２指針であることを示す第２指示位置を前記指示針に指示させるステップと、を実行させる
ことを特徴とする時刻修正プログラム。
【発明の詳細な説明】
【技術分野】
【０００１】
本発明は、電子機器、時刻修正方法および時刻修正プログラムに関する。
【背景技術】
【０００２】
従来、互いに異なる時刻を表示可能な時分針を２組備えた電子時計が知られている（例えば、特許文献１参照）。
特許文献１の電子時計は、文字板の中心に指針軸が位置する第一分針および第一時針を備えた第一指針と、文字板の中心から６時方向にずれた位置に指針軸が位置する第二分針および第二時針を備えた第二指針とを備えている。この電子時計は、リューズが第一引出位置状態にあると、第一指針の修正を実施する第一指針修正モードに移行し、リューズが第二引出位置状態にあると、第二指針の修正を実施する第二指針修正モードに移行する。
【先行技術文献】
【特許文献】
【０００３】
【特許文献１】特開２００９−８５０４号公報
【発明の概要】
【発明が解決しようとする課題】
【０００４】
しかしながら、特許文献１の電子時計では、ユーザーは、リューズを引き出して第一指針または第二指針を修正する際、リューズの位置と修正モードとの関係を覚えていない場合は、第一指針修正モードが設定されているか、第二指針修正モードが設定されているかを簡単に判断できない。このため、時刻を修正しにくいという問題があった。
【０００５】
本発明の目的は、複数の時刻を表示可能であり、かつ、時刻を修正し易い電子機器、時刻修正方法および時刻修正プログラムを提供することにある。
【課題を解決するための手段】
【０００６】
本発明の電子機器は、第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部と、前記操作部の修正モード設定操作に応じて、前記第１時刻を修正する第１時刻修正モードまたは前記第２時刻を修正する第２時刻修正モードを設定する修正モード設定部と、前記第１時刻修正モードが設定された場合、修正対象の指針が前記第１指針であることを示す第１指示位置を前記指示針に指示させ、前記第２時刻修正モードが設定された場合、修正対象の指針が前記第２指針であることを示す第２指示位置を前記指示針に指示させる表示制御部と、を備えることを特徴とする。
【０００７】
本発明によれば、ユーザーが、操作部の修正モード設定操作を行うと、修正モード設定部は第１時刻修正モードまたは第２時刻修正モードを設定する。そして、表示制御部は、第１時刻修正モードが設定された場合、修正対象の指針が第１指針であることを示す第１指示位置を指示針に指示させ、第２時刻修正モードが設定された場合、修正対象の指針が第２指針であることを示す第２指示位置を指示針に指示させる。
これによれば、ユーザーは、指示針を確認することで、第１時刻修正モードが設定されているのか第２時刻修正モードが設定されているのかを、直感的に把握できるため、時刻を修正し易くできる。
【０００８】
本発明の電子機器は、第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部と、時刻修正モードに移行させる前記操作部の修正モード移行操作に応じて、前記第１時刻を修正する第１時刻修正モードを設定し、前記時刻修正モードの種類を切り替えさせる前記操作部の修正モード切替操作に応じて、前記第１時刻修正モードまたは前記第２時刻を修正する第２時刻修正モードを切り替えて設定する修正モード設定部と、前記修正モード移行操作に応じて前記第１時刻修正モードが設定された場合、修正対象の指針が前記第１指針であることを示す第１指示位置を前記指示針に指示させず、前記修正モード切替操作に応じて前記第１時刻修正モードが設定された場合、前記第１指示位置を前記指示針に指示させ、前記第２時刻修正モードが設定された場合、修正対象の指針が前記第２指針であることを示す第２指示位置を前記指示針に指示させる表示制御部と、を備えることを特徴とする。
【０００９】
本発明によれば、ユーザーが、操作部の修正モード移行操作を行うと、修正モード設定部は、例えば通常時刻表示モードを切り替えて第１時刻修正モードを設定する。さらに、ユーザーが操作部の修正モード切替操作を行うと、修正モード設定部は第２時刻修正モードを設定し、さらに、ユーザーが操作部の修正モード切替操作を行うと、修正モード設定部は第１時刻修正モードを設定する。
ユーザーは、修正モード移行操作を行った場合に、第１時刻修正モードが設定されることを予め把握していれば、修正モード移行操作を行った場合、指示針が第１指示位置を指示しなくても、第１時刻修正モードが設定されていることを把握できる。
このため、修正モード移行操作によって第１時刻修正モードが設定された場合は、指示針による第１指示位置の指示を行わないことで、ユーザーは、修正モード移行操作を行った後、指示針が移動するのを待つことなく、すぐに第１時刻を修正できる。
また、修正モード移行操作が行われた後に修正モード切替操作が行われたことで、第２時刻修正モードや第１時刻修正モードが設定された場合は、指示針に第１指示位置または第２指示位置を指示させることで、ユーザーは、指示針を確認することで、第１時刻修正モードが設定されているのか第２時刻修正モードが設定されているのかを直感的に把握できる。
【００１０】
本発明の電子機器において、前記表示制御部は、前記指示針に、前記第１指示位置として、前記指示針の指示方向に前記第１指針の指針軸が位置する指示位置を指示させ、前記第２指示位置として、前記指示針の指示方向に前記第２指針の指針軸が位置する指示位置を指示させることが好ましい。
【００１１】
本発明によれば、修正対象の指針が第１指針であるか第２指針であるかを明確に表示できる。
【００１２】
本発明の電子機器において、前記指示針の指針軸は、前記第１指針および前記第２指針の少なくとも一方の指針の先端が描く円の外側に位置し、前記表示制御部は、前記指示針に、修正対象の指針が前記一方の指針であることを示す指示位置として、前記指示針の指示方向に伸びる直線が前記円と交差する範囲の所定位置を指示させることが好ましい。
【００１３】
本発明によれば、修正対象の指針が前記一方の指針であることを表示できる。
なお、表示制御部は、例えば、指示針の指針軸が、他方の指針の先端が描く円（他方円）の外側に位置している場合は、指示針に、修正対象の指針が他方の指針であることを示す指示位置として、指示針の指示方向に伸びる直線が前記他方円と交差する範囲の所定位置を指示させる。また、指示針の指針軸が、前記他方円の内側に位置している場合、指示針の指示方向に他方の指針の指針軸が位置する指示位置を指示させる。
【００１４】
本発明の電子機器において、前記表示制御部は、前記指示針に前記第１指示位置または前記第２指示位置を指示させた後、予め設定された指示時間が経過すると、前記指示針に前記第１指示位置および前記第２指示位置とは異なる位置を指示させて所定の情報を表示させることが好ましい。
【００１５】
所定の情報は、例えば、夏時間の設定などである。
本発明によれば、指示針が第１指示位置または第２指示位置を指示した後、ユーザーは、指示時間が経過して移動した指示針を確認することで、所定の情報を把握できる。
これによれば、所定の情報を表示する指針を別途設ける必要がないため、電子機器が備える指針の数を少なくできる。
また、ユーザーは、指示針が第１指示位置または第２指示位置を指示した後、操作部を操作することなく、所定の情報を把握できるため、操作を簡単にできる。
【００１６】
本発明の電子機器において、前記表示制御部は、前記指示針に前記第１指示位置または前記第２指示位置を指示させている場合、前記操作部の操作に応じて、前記指示針に前記第１指示位置および前記第２指示位置とは異なる位置を指示させて所定の情報を表示させることが好ましい。
【００１７】
本発明によれば、指示針が第１指示位置または第２指示位置を指示した後、ユーザーは、操作部を操作し、移動した指示針を確認することで、所定の情報を把握できる。
これによれば、所定の情報を表示する指針を別途設ける必要がないため、電子機器が備える指針の数を少なくできる。
【００１８】
本発明の電子機器において、前記所定の情報は、夏時間の設定であることが好ましい。
【００１９】
ユーザーは、例えば、第１時刻または第２時刻を別の地域の時刻に修正する場合、あわせて夏時間の設定を修正したいと考える場合がある。本発明によれば、ユーザーは、第１指示位置または第２指示位置を指示した後に移動した指示針を確認することで、夏時間の設定を確認できる。このため、夏時間の設定を修正する必要がある場合は、例えば操作部を操作することで夏時間の設定を修正できるため、使い易さを向上できる。
【００２０】
本発明の電子機器において、前記第１時刻修正モードが設定されている場合、前記操作部のタイムゾーン修正操作に応じて前記第１時刻のタイムゾーンデータを修正し、前記第２時刻修正モードが設定されている場合、前記操作部の前記タイムゾーン修正操作に応じて前記第２時刻のタイムゾーンデータを修正するタイムゾーン設定部と、修正された前記第１時刻のタイムゾーンデータに基づいて前記第１時刻を修正し、修正された前記第２時刻のタイムゾーンデータに基づいて前記第２時刻を修正する時刻修正部と、を備えることが好ましい。
【００２１】
本発明によれば、ユーザーは、第１時刻または第２時刻を別の地域の時刻に修正する場合、タイムゾーン修正操作を行うことで、この操作に連動して第１時刻または第２時刻を修正できる。このため、操作部を操作して第１指針または第２指針の表示時刻を別の地域の時刻に手動で合わせる場合と比べて、操作を簡単にできる。
【００２２】
本発明の電子機器において、タイムゾーンデータを表示するタイムゾーン指針を備え、前記表示制御部は、前記第１時刻修正モードが設定された場合、前記第１時刻のタイムゾーンデータを前記タイムゾーン指針に表示させ、前記第２時刻修正モードが設定された場合、前記第２時刻のタイムゾーンデータを前記タイムゾーン指針に表示させることが好ましい。
【００２３】
タイムゾーン指針は、例えば、タイムゾーンデータを表示しない場合に第１時刻および第２時刻の秒を表示する指針であってもよいし、タイムゾーンデータを表示する専用の指針であってもよい。
本発明によれば、ユーザーは、第１時刻修正モードが設定された場合、タイムゾーン指針を確認することで、第１時刻のタイムゾーンデータを把握でき、第２時刻修正モードが設定された場合、タイムゾーン指針を確認することで、第２時刻のタイムゾーンデータを把握できるため、タイムゾーンデータの修正が必要か否かを容易に判断できる。
【００２４】
本発明の電子機器において、前記表示制御部は、前記第１時刻修正モードまたは前記第２時刻修正モードが設定され、前記指示針および前記タイムゾーン指針を移動させる場合、前記指示針および前記タイムゾーン指針を同時に移動させることが好ましい。
【００２５】
指示針およびタイムゾーン指針を同時に移動させるとは、指示針の移動期間とタイムゾーン指針の移動期間とが重なっていることを意図する。
本発明によれば、指示針の移動期間とタイムゾーン指針の移動期間とが重なっていない場合と比べて、指示針およびタイムゾーン指針の両方の移動が完了するまでの時間を短縮できる。
【００２６】
本発明の電子機器において、前記表示制御部は、前記第１時刻修正モードまたは前記第２時刻修正モードが設定され、前記指示針および前記タイムゾーン指針を移動させる場合、前記指示針を移動させ、前記指示針を移動させた後に前記タイムゾーン指針を移動させ、前記タイムゾーン指針を移動させた後に前記指示針に前記第１指示位置および前記第２指示位置とは異なる位置を指示させて所定の情報を表示させることが好ましい。
【００２７】
本発明では、指示針の移動期間とタイムゾーン指針の移動期間とは重なっていない。このため、指示針の移動期間とタイムゾーン指針の移動期間とが重なっている場合と比べて、消費電力のピーク値を低減できる。
また、タイムゾーン指針は、第１時刻および第２時刻の両方のタイムゾーンデータを表示可能に構成されているため、タイムゾーン指針が表示するタイムゾーンデータが第１時刻および第２時刻のどちらのタイムゾーンデータかが分からなければ、ユーザーは、タイムゾーンデータを正しく把握できない。
このため、指示針をタイムゾーン指針よりも先に移動させることで、タイムゾーン指針よりも後に移動させる場合と比べて、ユーザーは、タイムゾーンデータを早く把握できる。
また、ユーザーは、タイムゾーン指針が移動した後、再度移動した指示針を確認することで、所定の情報を把握できる。
【００２８】
本発明の電子機器において、文字板を備え、前記第１指針および前記タイムゾーン指針は、指針軸が前記文字板の平面中心に位置していることが好ましい。
【００２９】
本発明によれば、第１指針およびタイムゾーン指針の指針軸が文字板の平面中心から外周側にずれて位置している場合と比べて、第１指針およびタイムゾーン指針の長さ寸法を大きくできる。このため、第１時刻およびタイムゾーンデータをダイナミックな動きで表示できる。
なお、この場合、第２指針の指針軸は、文字板の平面中心から外周側にずれて位置している。
【００３０】
本発明の電子機器において、前記表示制御部は、前記第１時刻修正モードまたは前記第２時刻修正モードが設定された場合、前記第１時針、前記第１分針、前記第２時針、前記第２分針を継続して運針させることが好ましい。
【００３１】
本発明によれば、例えば、ユーザーが、第１時刻または第２時刻を、別の地域の時刻に修正する場合、第１時刻修正モードまたは第２時刻修正モードが設定された後、第１指針または第２指針を確認することで、現在時刻を把握しながら第１時刻または第２時刻を修正できる。
【００３２】
本発明は、第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部とを備える電子機器の時刻修正方法であって、前記操作部の修正モード設定操作に応じて、前記第１時刻を修正する第１時刻修正モードまたは前記第２時刻を修正する第２時刻修正モードを設定するステップと、前記第１時刻修正モードが設定された場合、修正対象の指針が前記第１指針であることを示す第１指示位置を前記指示針に指示させるステップと、前記第２時刻修正モードが設定された場合、修正対象の指針が前記第２指針であることを示す第２指示位置を前記指示針に指示させるステップと、を備えることを特徴とする。
【００３３】
本発明によれば、ユーザーは、指示針を確認することで、第１時刻修正モードが設定されているのか第２時刻修正モードが設定されているのかを、直感的に把握できるため、時刻を修正し易くできる。
【００３４】
本発明は、第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部とを備える電子機器の時刻修正方法であって、時刻修正モードに移行させる前記操作部の修正モード移行操作に応じて、前記第１時刻を修正する第１時刻修正モードを設定するステップと、前記時刻修正モードの種類を切り替えさせる前記操作部の修正モード切替操作に応じて、前記第１時刻修正モードまたは前記第２時刻を修正する第２時刻修正モードを切り替えて設定するステップと、前記修正モード移行操作に応じて前記第１時刻修正モードが設定された場合、修正対象の指針が前記第１指針であることを示す第１指示位置を前記指示針に指示させず、前記修正モード切替操作に応じて前記第１時刻修正モードが設定された場合、前記第１指示位置を前記指示針に指示させるステップと、前記第２時刻修正モードが設定された場合、修正対象の指針が前記第２指針であることを示す第２指示位置を前記指示針に指示させるステップと、を備えることを特徴とする。
【００３５】
本発明によれば、ユーザーは、修正モード移行操作を行った後、指示針が移動するのを待つことなく、すぐに第１時刻を修正できる。また、修正モード移行操作が行われた後に修正モード切替操作が行われた場合は、指示針を確認することで、第１時刻修正モードが設定されているのか第２時刻修正モードが設定されているのかを直感的に把握できる。
【００３６】
本発明の時刻修正プログラムは、第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部とを備える電子機器に、前記操作部の修正モード設定操作に応じて、前記第１時刻を修正する第１時刻修正モードまたは前記第２時刻を修正する第２時刻修正モードを設定するステップと、前記第１時刻修正モードが設定された場合、修正対象の指針が前記第１指針であることを示す第１指示位置を前記指示針に指示させるステップと、前記第２時刻修正モードが設定された場合、修正対象の指針が前記第２指針であることを示す第２指示位置を前記指示針に指示させるステップと、を実行させることを特徴とする。
【００３７】
本発明によれば、ユーザーは、指示針を確認することで、第１時刻修正モードが設定されているのか第２時刻修正モードが設定されているのかを、直感的に把握できるため、時刻を修正し易くできる。
【００３８】
本発明の時刻修正プログラムは、第１時刻を表示する第１時針および第１分針を有する第１指針と、第２時刻を表示する第２時針および第２分針を有し、前記第１指針とは指針軸の位置が異なる第２指針と、前記第１指針および前記第２指針とは指針軸の位置が異なる指示針と、操作部とを備える電子機器に、時刻修正モードに移行させる前記操作部の修正モード移行操作に応じて、前記第１時刻を修正する第１時刻修正モードを設定するステップと、前記時刻修正モードの種類を切り替えさせる前記操作部の修正モード切替操作に応じて、前記第１時刻修正モードまたは前記第２時刻を修正する第２時刻修正モードを切り替えて設定するステップと、前記修正モード移行操作に応じて前記第１時刻修正モードが設定された場合、修正対象の指針が前記第１指針であることを示す第１指示位置を前記指示針に指示させず、前記修正モード切替操作に応じて前記第１時刻修正モードが設定された場合、前記第１指示位置を前記指示針に指示させるステップと、前記第２時刻修正モードが設定された場合、修正対象の指針が前記第２指針であることを示す第２指示位置を前記指示針に指示させるステップと、を実行させることを特徴とする。
【００３９】
本発明によれば、ユーザーは、修正モード移行操作を行った後、指示針が移動するのを待つことなく、すぐに第１時刻を修正できる。また、修正モード移行操作が行われた後に修正モード切替操作が行われた場合は、指示針を確認することで、第１時刻修正モードが設定されているのか第２時刻修正モードが設定されているのかを直感的に把握できる。
【図面の簡単な説明】
【００４０】
【図１】本発明の第１実施形態に係る電子時計を示す概略図。
【図２】第１実施形態における電子時計の正面図。
【図３】第１実施形態における電子時計の断面図。
【図４】第１実施形態における電子時計の制御ブロック図。
【図５】航法メッセージのメインフレーム構成を示す図。
【図６】航法メッセージのＴＬＭワード構成を示す図。
【図７】航法メッセージのＨＯＷワード構成を示す図。
【図８】第１実施形態における記憶装置のデータ構造図。
【図９】第１実施形態における制御処理を示すフローチャート。
【図１０】第１実施形態におけるタイムゾーン設定処理を示すフローチャート。
【図１１】第１実施形態における修正モード切替処理を示すフローチャート。
【図１２】第１実施形態における時刻修正処理を示すフローチャート。
【図１３】第１実施形態における電子時計の表示の遷移例を示す図。
【図１４】第１実施形態における電子時計の表示の遷移例を示す図。
【図１５】第１実施形態における電子時計の表示の遷移例を示す図。
【図１６】第１実施形態における電子時計の表示の遷移例を示す図。
【図１７】第１実施形態における電子時計の表示の遷移例を示す図。
【図１８】第１実施形態における電子時計の表示の遷移例を示す図。
【図１９】第１実施形態における電子時計の表示の遷移例を示す図。
【図２０】第１実施形態における電子時計の表示の遷移例を示す図。
【図２１】本発明の第２実施形態に係る電子時計の表示の遷移例を示す図。
【図２２】本発明の他の実施形態に係る電子時計を説明する図。
【図２３】本発明の他の実施形態に係る電子時計を説明する図。
【発明を実施するための形態】
【００４１】
以下、本発明の具体的な実施形態を図面に基づいて説明する。
［第１実施形態］
図１は、第１実施形態の電子時計１０を示す概略図である。
電子機器としての電子時計１０は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出して取得するように構成されている。なお、ＧＰＳ衛星１００は、位置情報衛星の一例であり、地球の上空に複数存在している。現在は約３０個のＧＰＳ衛星１００が周回している。
【００４２】
［電子時計の概略構成］
電子時計１０は、第１時刻と第２時刻を表示可能なデュアルタイム表示機能を備えた時計である。
図２は、電子時計１０の正面図であり、図３は、電子時計１０の概略を示す断面図である。
電子時計１０は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
外装ケース３０の側面には、文字板１１の平面中心より、２時方向の位置にＡボタン５１と、４時方向の位置にＢボタン５２と、３時方向の位置にリューズ５５とが設けられている。
【００４３】
電子時計１０は、図３に示すように、外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、指針２１，２２，２３，６１，７１，８１，８２，９１と、カレンダー車１６と、各指針およびカレンダー車１６を駆動する駆動機構１４０などが備えられている。
【００４４】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面とによりドーナツ形状の収納空間が形成されており、この収納空間内には、リング状のアンテナ体１１０が収納されている。
【００４５】
文字板１１は、外装ケース３０の内側で時刻を表示する円形の板材であり、プラスチックなどの光透過性の材料で形成され、カバーガラス３３との間に各指針を備え、ダイヤルリング４０の内側に配置されている。
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。文字板１１、ソーラーパネル１３５および地板１２５には、指針２１，２２，２３の指針軸２５と、指針６１の指針軸６２と、指針７１の指針軸７４と、指針８１，８２の指針軸８４と、指針９１の指針軸９２とが貫通する穴が形成されている。また、文字板１１およびソーラーパネル１３５には、カレンダー小窓１５の開口部が形成されている。
【００４６】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸を回転させることにより各指針を駆動する。
駆動機構１４０は、具体的には、第１〜第６駆動機構を備える。第１駆動機構は指針２２および指針２３を駆動し、第２駆動機構は指針２１を駆動し、第３駆動機構は指針６１を駆動し、第４駆動機構は指針７１を駆動し、第５駆動機構は指針８１，８２，９１を駆動し、第６駆動機構はカレンダー車１６を駆動する。
【００４７】
回路基板１２０は、受信装置（ＧＰＳモジュール）４００、制御装置３００、記憶装置２００を備えている。また、この回路基板１２０とアンテナ体１１０とは、アンテナ接続ピン１１５を用い接続されている。受信装置４００、制御装置３００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、ソーラーパネル１３５が発電した電力で充電される。
【００４８】
［電子時計の表示機構］
指針２１（秒針）、指針２２（第１分針）、指針２３（第１時針）は、文字板１１の平面中心に、文字板１１の表裏方向に沿って設けられた指針軸２５に取り付けられている。なお、指針軸２５は、各指針２１，２２，２３が取り付けられる３つの指針軸で構成されている。
文字板１１の外周部を囲むダイヤルリング４０の内周側には、図２に示すように、内周を６０分割にする目盛が表記されている。この目盛を用いて、指針２１は通常時に第１時刻（ローカルタイム：例えば外国にいる場合の現地時刻）の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
ここで、指針２２，２３で構成される指針は、第１指針の一例である。
また、ダイヤルリング４０には、１２分位置にアルファベットの「Ｙ」と、１８分位置にアルファベットの「Ｎ」の英字が表記されている。この英字は、ＧＰＳ衛星１００から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。
【００４９】
指針６１（曜日針）は、文字板１１の平面中心から２時方向の位置に設けられている指針軸６２に取り付けられている。指針６１の回転領域の外周には、七曜を示す、「Ｓ」、「Ｍ」、「Ｔ」、「Ｗ」、「Ｔ」、「Ｆ」、「Ｓ」の英字が表記されている。指針６１は、「Ｓ」〜「Ｓ」のいずれかを指示することで、第１時刻に対応した、カレンダー情報としての曜日を表示する。
【００５０】
指針７１（モード針）は、文字板１１の平面中心から８時方向の位置に設けられている指針軸７４に取り付けられている。以下、指針７１の回転領域の外周の表記について説明するが、「ｎ時方向」（ｎは任意の自然数）とあるのは、指針７１の指針軸７４から回転領域の外周をみたときの方向である。
指針７１の回転領域の６時方向から７時方向の範囲の外周には、「ＤＳＴ」の英字と「○」の記号が表記されている。ＤＳＴ（daylight saving time）は夏時間を意味する。指針７１は、これらの英字と記号を指示することで、夏時間（ＤＳＴ：夏時間ＯＮ、○：夏時間ＯＦＦ）の設定を表示する。
【００５１】
指針７１の回転領域の８時方向から９時方向までの範囲の外周には、円周に沿って、９時方向の基端が太く、８時方向の先端が細い三日月鎌状の記号７２が表記されている。この記号７２は二次電池１３０（図３参照）のパワーインジケーターであり、電池残量に応じた位置を指針７１が指示することで電池残量が表示される。なお、指針７１は、通常時、記号７２を指示している。
【００５２】
指針７１の回転領域の１０時方向の外周には、飛行機形状の記号７３が表記されている。この記号は、機内モードを表す。航空機の離着陸時は、航空法によって衛星信号の受信が禁止されている。指針７１は、記号７３を指示することで、機内モードに設定され、受信が行われないことを表示する。
【００５３】
指針７１の回転領域の１１時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と後述するタイムゾーンデータとが修正されること（測位モード）を意味する。
また、指針７１は、指針８１，８２の指針軸８４を指示可能に設けられている。すなわち、指針７１は、指示針の一例である。なお、指針７１の詳しい動作については、後述するタイムゾーン設定処理で説明する。
【００５４】
指針８１（第２分針）、指針８２（第２時針）は、文字板１１の平面中心から６時方向の同じ位置に設けられている指針軸８４に取り付けられている。なお、指針軸８４は、各指針８１，８２が取り付けられる２つの指針軸で構成されている。指針８１は、第２時刻（ホームタイム：例えば外国にいる場合の日本の時刻）の「分」を表示し、指針８２は、第２時刻の「時」を表示する。ここで、指針８１，８２で構成される指針は、第２指針の一例である。
また、指針８１，８２の回転領域の周囲には、リング状のサブダイヤル８３が設けられている。サブダイヤル８３には、第２時刻の「時」を表す「１」から「１２」までの数字が表記されている。
【００５５】
指針９１は、文字板１１の平面中心から４時方向の位置に設けられている指針軸９２に取り付けられている。指針９１は、第２時刻の午前および午後を表示する。
カレンダー小窓１５は、文字板１１を矩形状に開口した開口部に設けられており、開口部からカレンダー車１６に印刷された数字が視認可能となっている。カレンダー車１６は、開口部から数字を視認させることで、第１時刻に対応した年月日の「日」を表示する。
【００５６】
ダイヤルリング４０には、内周側の目盛に沿って、協定世界時（ＵＴＣ）との時差を表す時差情報４５が、数字と数字以外の記号とで表記されている。数字の時差情報４５は整数の時差であり、記号の時差情報４５は整数以外の時差であることを表している。指針２１，２２，２３で表示された第１時刻と、ＵＴＣとの時差は、後述する時刻修正モードにおいて、指針２１が指し示す時差情報４５で確認することができる。すなわち、指針２１は、タイムゾーンデータを表示するタイムゾーン指針としても用いられる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５や都市情報３５の表記をタイムゾーン表示４６という。本実施形態では、全世界で使用されているタイムゾーンの数と等しいタイムゾーン表示４６が表記されている。
【００５７】
［電子時計の内部構成］
図４は、電子時計１０の制御ブロック図である。
電子時計１０は、図４に示すように、ＣＰＵ（中央処理装置：Central Processing Unit）で構成される制御装置３００、ＲＡＭ（Random Access Memory）２０１やＥＥＰＲＯＭ（Electronically Erasable and Programmable Read Only Memory）２０２等で構成される記憶装置２００、受信装置（ＧＰＳモジュール）４００、計時装置１５０、入力装置１６０、検出装置１７０、駆動機構１４０、表示装置１４１を備えている。これらの各装置は、データバスを介してデータを送受信する。
また、電子時計１０は、電源となる充電可能な二次電池１３０を内蔵している。二次電池１３０は、ソーラーパネル１３５から充電回路１３１を介して供給される電力で充電される。
【００５８】
［入力装置］
入力装置１６０は、図２に示すリューズ５５、Ａボタン５１、Ｂボタン５２を備えて構成される。リューズ５５は、０段位置、１段位置、２段位置に移動可能に設けられている。なお、通常時は０段位置に押し込まれている。ここで、入力装置１６０は、操作部の一例である。
【００５９】
［検出装置］
検出装置１７０は、各ボタン５１，５２の押し離しや、リューズ５５の引き出し、押し込み、回転操作に基づいて、各種処理の実行を指示する操作を検出し、検出した操作に応じた操作信号を制御装置３００に出力する。
例えば、検出装置１７０は、リューズ５５が０段位置または２段位置から１段位置に移動されることで、時刻修正モードに移行させる修正モード移行操作を検出する。そして、修正モード移行操作を検出すると修正モード移行信号を制御装置３００に出力する。制御装置３００は、修正モード移行信号が入力されると、第１時刻を修正する第１時刻修正モードを設定する。
また、検出装置１７０は、リューズ５５が１段位置の状態で、Ｂボタン５２が押されることで、時刻修正モードの種類を切り替えさせる修正モード切替操作を検出する。そして、修正モード切替操作を検出すると修正モード切替信号を制御装置３００に出力する。制御装置３００は、修正モード切替信号が入力されると、第２時刻を修正する第２時刻修正モードを設定する。
すなわち、修正モード移行操作および修正モード切替操作は、どちらも時刻修正モードを設定する修正モード設定操作である。
また、検出装置１７０は、第１時刻修正モードまたは第２時刻修正モードが設定された状態で、リューズ５５が回転操作されることで、タイムゾーン修正操作を検出し、タイムゾーン修正操作を検出すると、タイムゾーン修正信号を制御装置３００に出力する。制御装置３００は、タイムゾーン修正信号が入力されると、タイムゾーンデータを修正する。
また、検出装置１７０は、リューズ５５が１段位置から０段位置または２段位置に移動されることで、時刻修正モードを終了させる時刻修正終了操作を検出し、時刻修正終了操作を検出すると時刻修正終了信号を制御装置３００に出力する。制御装置３００は、時刻修正終了信号が入力されると、時刻修正モードを終了する。
【００６０】
［表示装置］
表示装置１４１は、図２に示す文字板１１、サブダイヤル８３、ダイヤルリング４０、ベゼル３２、指針２１，２２，２３，６１，７１，８１，８２，９１、カレンダー車１６等を備えて構成される。
【００６１】
［受信装置］
受信装置４００は、アンテナ体１１０に接続され、アンテナ体１１０を介して受信した衛星信号を処理してＧＰＳ時刻情報や位置情報を取得する。アンテナ体１１０は、ＧＰＳ衛星１００から送信され、図３に示すカバーガラス３３とダイヤルリング４０とを通過した衛星信号の電波を受信する。
そして、受信装置４００は、図示を略すが、通常のＧＰＳ装置と同様に、ＧＰＳ衛星１００から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段とを備えている。
【００６２】
［航法メッセージ］
ここで、前記各取得情報が含まれるＧＰＳ衛星１００から送信される衛星信号である航法メッセージについて説明する。なお、航法メッセージは、５０ｂｐｓのデータとして衛星の電波に変調されている。
図５〜図７は、航法メッセージの構成について説明するための図である。
図５に示すように、航法メッセージは、全ビット数１５００ビットのメインフレームを１単位とするデータとして構成される。メインフレームは、それぞれ３００ビットの５つのサブフレーム１〜５に分割されている。１つのサブフレームのデータは、各ＧＰＳ衛星１００から６秒で送信される。従って、１つのメインフレームのデータは、各ＧＰＳ衛星１００から３０秒で送信される。
【００６３】
サブフレーム１には、週番号データ（ＷＮ：week number）や衛星補正データが含まれている。
週番号データは、現在のＧＰＳ時刻情報が含まれる週を表す情報であり、１週間単位で更新される。
サブフレーム２、３には、エフェメリスパラメーター（各ＧＰＳ衛星１００の詳細な軌道報）が含まれる。また、サブフレーム４、５には、アルマナックパラメーター（全ＧＰＳ衛星１００の概略軌道情報）が含まれている。
【００６４】
さらに、サブフレーム１〜５には、先頭から、３０ビットのＴＬＭ（Telemetry word）データが格納されたＴＬＭ（Telemetry）ワードと３０ビットのＨＯＷ（hand over word）データが格納されたＨＯＷワードが含まれている。
【００６５】
したがって、ＴＬＭワードやＨＯＷワードは、ＧＰＳ衛星１００から６秒間隔で送信されるのに対し、週番号データや衛星補正データ、エフェメリスパラメーター、アルマナックパラメーターは３０秒間隔で送信される。
【００６６】
図６に示すように、ＴＬＭワードには、プリアンブルデータ、ＴＬＭメッセージ、Reservedビット、パリティデータが含まれている。
【００６７】
図７に示すように、ＨＯＷワードには、ＴＯＷ（Time of Week、「Ｚカウント」ともいう）というＧＰＳ時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。
【００６８】
したがって、電子時計１０は、サブフレーム１に含まれる週番号データとサブフレーム１〜５に含まれるＨＯＷワード（Ｚカウントデータ）を取得することで、日付情報および時刻情報を取得することができる。ただし、電子時計１０は、以前に週番号データを取得し、週番号データを取得した時期からの経過時間を内部でカウントしている場合は、週番号データを取得しなくてもＧＰＳ衛星１００の現在の過番号データを得ることができる。
したがって、電子時計１０は、リセット後や電源投入時のように、内部に週番号データ（日付情報）を記憶していない場合のみ、サブフレーム１の週番号データを取得すれば良い。そして、週番号データを記憶している場合は、電子時計１０は、６秒毎に送信されるＴＯＷを取得すれば、現在時刻が分かるようになっている。このため、電子時計１０は、通常、時刻情報としてＴＯＷのみを取得する。
【００６９】
［計時装置］
計時装置１５０は、二次電池１３０に蓄積された電力で駆動される水晶振動子等を備え、水晶振動子の発振信号に基づく基準信号を用いて時刻データを更新する。
【００７０】
［記憶装置］
記憶装置２００は、図８に示すように、時刻データ記憶部２１０と、タイムゾーンデータ記憶部２２０とを備えている。
時刻データ記憶部２１０には、受信時刻データ２１１と、閏秒更新データ２１２と、内部時刻データ２１３と、第１表示用時刻データ２１４と、第２表示用時刻データ２１５と、第１タイムゾーンデータ２１６と、第２タイムゾーンデータ２１７とが記憶される。
ここで、本実施形態では、受信時刻データ２１１と、閏秒更新データ２１２と、内部時刻データ２１３と、第１表示用時刻データ２１４と、第２表示用時刻データ２１５とは、ＲＡＭ２０１に記憶され、第１タイムゾーンデータ２１６と、第２タイムゾーンデータ２１７とはＥＥＰＲＯＭ２０２に記憶される。
【００７１】
受信時刻データ２１１には、衛星信号から取得した時刻情報（ＧＰＳ時刻）が記憶される。この受信時刻データ２１１は、通常は計時装置１５０によって１秒毎に更新され、衛星信号を受信した際には、取得した時刻情報が記憶される。
閏秒更新データ２１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ２１２に記憶している。
【００７２】
内部時刻データ２１３には、内部時刻情報が記憶される。この内部時刻情報は、受信時刻データ２１１に記憶されたＧＰＳ時刻と、閏秒更新データ２１２に記憶している「現在の閏秒」とによって更新される。すなわち、内部時刻データ２１３には、ＵＴＣ（協定世界時）が記憶されることになる。受信時刻データ２１１が計時装置１５０で更新される際に、この内部時刻情報も更新される。
【００７３】
第１表示用時刻データ２１４には、内部時刻データ２１３の内部時刻情報に、第１タイムゾーンデータ２１６のタイムゾーンデータ（時差情報）を加味した時刻情報が記憶される。第１タイムゾーンデータ２１６は、ユーザーが手動で選択した場合や測位モードで受信した場合に得られるタイムゾーンデータで設定される。ここで、第１表示用時刻データ２１４の時刻情報は、指針２１，２２，２３によって表示される第１時刻に相当する。
第２表示用時刻データ２１５には、内部時刻データ２１３の内部時刻情報に、第２タイムゾーンデータ２１７のタイムゾーンデータを加味した時刻情報が記憶される。第２タイムゾーンデータ２１７は、ユーザーが手動で選択した場合に得られるタイムゾーンデータで設定される。ここで、第２表示用時刻データ２１５の時刻情報は、指針８１，８２，９１によって表示される第２時刻に相当する。
【００７４】
ここで、第１タイムゾーンデータ２１６および第２タイムゾーンデータ２１７は、不揮発性メモリーの一種であるＥＥＰＲＯＭ２０２に記憶されているため、電子時計１０がシステムリセットされた場合でも、第１タイムゾーンデータ２１６および第２タイムゾーンデータ２１７に記憶されたタイムゾーンデータは記憶されている。そして、電子時計１０が起動する際、第１表示用時刻データ２１４は、「００：００」に初期化され、第２表示用時刻データ２１５は、第１タイムゾーンデータ２１６のタイムゾーンデータと第２タイムゾーンデータ２１７のタイムゾーンデータとの時差を反映した時刻が設定される。
例えば、第１タイムゾーンデータ２１６に（＋９時間）が設定され、第２タイムゾーンデータ２１７に（＋０時間）が設定されている場合、起動時、第１表示用時刻データ２１４は、「００：００」に初期化され、第２表示用時刻データ２１５は、「１５：００」に設定される。
また、例えば、第１タイムゾーンデータ２１６に（＋３時間）が設定され、第２タイムゾーンデータ２１７に（＋６時間）が設定されている場合、起動時、第１表示用時刻データ２１４は、「００：００」に初期化され、第２表示用時刻データ２１５は、「０３：００」に設定される。
また、例えば、第１タイムゾーンデータ２１６に（＋０時間）が設定され、第２タイムゾーンデータ２１７に（−５時間）が設定されている場合、起動時、第１表示用時刻データ２１４は、「００：００」に初期化され、第２表示用時刻データ２１５は、「１９：００」に設定される。
このように、電子時計１０がシステムリセットされても、第１時刻および第２時刻のタイムゾーンデータが消えずに記憶されているため、起動後にタイムゾーンデータを再設定する必要がない。
また、起動時には、第１時刻が「００：００」に初期化されるため、ユーザーは、時刻修正の必要があると判断できる。
【００７５】
タイムゾーンデータ記憶部２２０は、ＥＥＰＲＯＭ２０２で構成されている。タイムゾーンデータ記憶部２２０は、位置情報（緯度、経度）とタイムゾーンデータ（時差情報）とを関連付けて記憶している。このため、測位モードで位置情報を取得した場合、制御装置３００は、その位置情報（緯度、経度）に基づいてタイムゾーンデータを取得できるようにされている。なお、詳しくは後述のタイムゾーン設定処理で説明するが、制御装置３００は、リューズ５５の操作によっても、タイムゾーンデータ記憶部２２０からタイムゾーンデータを取得できるようにされている。
【００７６】
［制御装置］
制御装置３００は、電子時計１０を制御するＣＰＵで構成されている。制御装置３００は、記憶装置２００に格納された時刻修正プログラムを実行することで、測時部３１０、測位部３２０、修正モード設定部３３０、表示制御部３４０、タイムゾーン設定部３５０、時刻修正部３６０として機能する。
測時部３１０は、受信装置４００を作動して測時モードでの受信処理を実行する。測位部３２０は、受信装置４００を作動して測位モードでの受信処理を実行する。修正モード設定部３３０は、第１時刻修正モードおよび第２時刻修正モードを設定する。表示制御部３４０は、各指針の動作を制御する。タイムゾーン設定部３５０は、第１時刻のタイムゾーンデータおよび第２時刻のタイムゾーンデータを設定する。時刻修正部３６０は、第１時刻および第２時刻を修正する。なお、各部の機能の詳細は、以降の制御装置３００が実行する処理で説明する。
【００７７】
［制御処理］
通常時刻表示モードにおいてボタンが押されたときに制御装置３００が実行する制御処理について説明する。図９は制御装置３００が実行する制御処理を示すフローチャートである。
通常時刻表示モード（Ｓ１１）において、制御装置３００は、検出装置１７０から入力される操作信号に基づいて、Ａボタン５１が操作されたかを常に判定している（Ｓ１２）。なお、通常時刻表示モードでは、リューズ５５は０段位置に押し込まれている。
【００７８】
制御装置３００は、Ａボタン５１が押され、Ｓ１２でＹＥＳと判定した場合、Ａボタン５１が継続して押された時間を判定する（Ｓ１３）。
そして、Ａボタン５１が３秒以上６秒未満押され、測時モードの強制受信操作が行われると、測時部３１０は、受信装置４００を作動して測時モードでの受信処理を行う（Ｓ１４）。測時モードでの受信処理が行われると、受信装置４００は、少なくとも１つのＧＰＳ衛星１００を捕捉し、そのＧＰＳ衛星１００から送信される衛星信号を受信して時刻情報を取得する。
次に、制御装置３００は、時刻情報の取得に成功したか否かを判定する（Ｓ１５）。
Ｓ１５でＹＥＳと判定された場合、表示制御部３４０は、指針２１に「Ｙ」を指示させて受信に成功したことを表示させる。
また、時刻修正部３６０は、取得した時刻情報を受信時刻データ２１１に記憶する。これにより、内部時刻データ２１３、第１表示用時刻データ２１４、第２表示用時刻データ２１５が修正される（Ｓ１６）。
一方、Ｓ１５でＮＯと判定された場合、表示制御部３４０は、指針２１に「Ｎ」を指示させて受信に失敗したことを表示させる。
Ｓ１６の処理の後、または、Ｓ１５でＮＯと判定された場合、Ｓ１１で、制御装置３００は通常時刻表示モードに戻り、表示制御部３４０は、指針２１に第１時刻の「秒」を表示させる。
【００７９】
また、Ａボタン５１が６秒以上押され、測位モードの強制受信操作が行われると、測位部３２０は、受信装置４００を作動して測位モードでの受信処理を行う（Ｓ１７）。測位モードでの受信処理が行われると、受信装置４００は、少なくとも３個、好ましくは４個以上のＧＰＳ衛星１００を捕捉し、各ＧＰＳ衛星１００から送信される衛星信号を受信して位置情報を算出して取得する。また、受信装置４００は、衛星信号を受信した際に時刻情報も同時に取得できる。
次に、制御装置３００は、位置情報の取得に成功したか否かを判定する（Ｓ１８）。
Ｓ１８でＹＥＳと判定された場合、表示制御部３４０は、指針２１に「Ｙ」を指示させて受信に成功したことを表示させる。
また、タイムゾーン設定部３５０は、取得された位置情報（緯度、経度）に基づいてタイムゾーンデータを設定する（Ｓ１９）。具体的には、タイムゾーンデータ記憶部２２０から位置情報に対応するタイムゾーンデータ（時差情報）を選択して取得し、第１タイムゾーンデータ２１６に記憶（設定）する。
例えば、日本標準時（ＪＳＴ）は、ＵＴＣに対して９時間進めた時刻（ＵＴＣ＋９）であるため、取得した位置情報が日本である場合には、タイムゾーン設定部３５０は、タイムゾーンデータ記憶部２２０から日本標準時の時差情報（＋９時間）を読み出して第１タイムゾーンデータ２１６に記憶する。
【００８０】
また、時刻修正部３６０は、取得した時刻情報を受信時刻データ２１１に記憶する。これにより、内部時刻データ２１３、第１表示用時刻データ２１４、第２表示用時刻データ２１５が修正される。
また、時刻修正部３６０は、第１表示用時刻データ２１４を、第１タイムゾーンデータ２１６を用いて修正する（Ｓ２０）。このため、第１表示用時刻データ２１４は、ＵＴＣである内部時刻データ２１３にタイムゾーンデータを加算した時刻となる。
一方、Ｓ１８でＮＯと判定された場合、表示制御部３４０は、指針２１に「Ｎ」を指示させて受信に失敗したことを表示させる。
Ｓ２０の処理の後、または、Ｓ１８でＮＯと判定された場合、Ｓ１１で、制御装置３００は、通常時刻表示モードに戻り、表示制御部３４０は、指針２１に第１時刻の「秒」を表示させる。
【００８１】
また、Ａボタン５１が３秒未満押され、受信結果表示操作が行われると、表示制御部３４０は、指針２１に「Ｙ」または「Ｎ」を指示させることで、直前の受信処理の受信結果を表示させる（Ｓ２１）。その後、Ｂボタン５２が押されるか、表示時間（例えば５秒）が経過すると、Ｓ１１で、制御装置３００は、通常時刻表示モードに戻り、表示制御部３４０は、指針２１に第１時刻の「秒」を表示させる。
【００８２】
［タイムゾーン設定処理］
次に、制御装置３００が実行するタイムゾーン設定処理について説明する。
図１０は、タイムゾーン設定処理を示すフローチャートである。図１１は、タイムゾーン設定処理における修正モード切替処理Ｓ５０を示すフローチャートであり、図１２は、タイムゾーン設定処理における時刻修正処理Ｓ７０を示すフローチャートである。
図１０に示すように、修正モード設定部３３０は、リューズ５５が１段位置に移動されたか否かを判定する（Ｓ３１）。Ｓ３１でＮＯと判定された場合は、Ｓ３１の判定処理を繰り返し実行する。
リューズ５５が１段位置に移動され、修正モード移行操作が行われると、Ｓ３１でＹＥＳと判定され、修正モード設定部３３０は、初期モードとして第１時刻修正モードを設定する（Ｓ３２）。
第１時刻修正モードが設定されると、表示制御部３４０は、図１３に示すように、指針７１（モード針）を反時計回りに移動させて、「ＤＳＴ」または「○」を指示させることで、第１時刻における夏時間の設定を表示させる（Ｓ３３）。
指針７１が「ＤＳＴ」または「○」を指示した後、表示制御部３４０は、図１４に示すように、指針２１（秒針）を時計回りに早送りで移動させて、タイムゾーン表示４６を指示させることで、第１タイムゾーンデータ２１６に記憶されているタイムゾーンデータ（第１時刻のタイムゾーンデータ）を表示させる（Ｓ３４）。
なお、表示制御部３４０は、指針６１（曜日針）に、「Ｓ」〜「Ｓ」を指示させることで、第１時刻に対応する曜日を継続して表示させる（Ｓ３５）。
【００８３】
次に、制御装置３００は、リューズ５５やＢボタン５２等、入力装置１６０が操作されたか否かを判定する（Ｓ３６）。
Ｓ３６でＮＯと判定された場合、表示制御部３４０は、指針２２，２３が表示する第１時刻の時分、および、指針８１，８２が表示する第２時刻の時分を更新させる（Ｓ３７）。その後、制御装置３００は、処理をＳ３６に戻す。
一方、Ｓ３６でＹＥＳと判定された場合、制御装置３００は、操作の種類を判定する（Ｓ３８）。
【００８４】
Ｓ３８で、Ｂボタン５２が押され、修正モード切替操作が行われたと判定された場合、制御装置３００は、修正モード切替処理Ｓ５０を実行する。
図１１に示すように、修正モード切替処理Ｓ５０が実行されると、修正モード設定部３３０は、Ｂボタン５２が押される直前に設定されていたモードが、第１時刻修正モードか否かを判定する（Ｓ５１）。最初は、第１時刻修正モードが設定されているため、Ｓ５１でＹＥＳと判定される。
Ｓ５１でＹＥＳと判定された場合、修正モード設定部３３０は、第２時刻修正モードを設定する（Ｓ５２）。
そして、表示制御部３４０は、図１５に示すように、夏時間の設定を表示していた指針７１を反時計回りに移動させて、修正対象の指針が指針８１，８２（第２指針）であることを示す第２指示位置を指示させる（Ｓ５３）。本実施形態では、表示制御部３４０は、第２指示位置として、指針７１の指示方向に指針８１，８２の指針軸８４が位置する指示位置を指示させる。
【００８５】
指針７１が第２指示位置を指示した後、表示制御部３４０は、図１６に示すように、第１時刻のタイムゾーンデータを表示していた指針２１を時計回りに早送りで移動させ、第２タイムゾーンデータ２１７に記憶されているタイムゾーンデータ（第２時刻のタイムゾーンデータ）を表示させる（Ｓ５４）。
そして、指針２１が第２時刻のタイムゾーンデータを表示した後、表示制御部３４０は、図１７に示すように、指針７１を時計回りに移動させ、第２時刻における夏時間の設定を表示させる（Ｓ５５）。そして、制御装置３００は、修正モード切替処理Ｓ５０を終了させ、処理をＳ３６に戻す。これにより、Ｓ３６で、入力装置１６０が操作されたか否かの判定が行われる。
【００８６】
そして、再度、Ｂボタン５２が押された場合は、Ｓ３６でＹＥＳと判定され、Ｓ３８で修正モード切替操作が行われたと判定されて、修正モード切替処理Ｓ５０が実行される。この場合は、直前に設定されていたモードが第２時刻修正モードであるため、Ｓ５１でＮＯと判定される。この場合、修正モード設定部３３０は、第１時刻修正モードを設定する（Ｓ５６）。
そして、表示制御部３４０は、図１８に示すように、第２時刻における夏時間の設定を表示していた指針７１を時計回りに移動させて、修正対象の指針が指針２２，２３（第１指針）であることを示す第１指示位置を指示させる（Ｓ５７）。本実施形態では、表示制御部３４０は、第１指示位置として、指針７１の指示方向に指針２２，２３の指針軸２５が位置する指示位置を指示させる。
【００８７】
指針７１が第１指示位置を指示した後、表示制御部３４０は、図１９に示すように、指針２１を時計回りに早送りで移動させ、第１時刻のタイムゾーンデータを表示させる（Ｓ５８）。
そして、指針２１が第１時刻のタイムゾーンデータを表示した後、表示制御部３４０は、図２０に示すように、指針７１を反時計回りに移動させて第１時刻における夏時間の設定を表示させる（Ｓ５９）。そして、制御装置３００は、修正モード切替処理Ｓ５０を終了させ、処理をＳ３６に戻す。
このように、Ｂボタン５２が押される毎に、修正モード切替処理Ｓ５０が実行され、Ｓ５２〜Ｓ５５の処理、および、Ｓ５６〜Ｓ５９の処理が交互に行われる。
【００８８】
Ｓ３８で、リューズ５５が回転操作され、タイムゾーンデータを所定時間（例えば１時間）進めるか所定時間戻すタイムゾーン修正操作が行われたと判定された場合、制御装置３００は、時刻修正処理Ｓ７０を実行する。
図１２に示すように、時刻修正処理Ｓ７０が実行されると、制御装置３００は、現在設定されているモードが、第１時刻修正モードか否かを判定する（Ｓ７１）。
Ｓ７１でＹＥＳと判定された場合、タイムゾーン設定部３５０は、タイムゾーン修正操作に応じて、第１時刻のタイムゾーンデータを修正（変更）する（Ｓ７２）。具体的には、タイムゾーンデータ記憶部２２０から、タイムゾーン修正操作に応じてタイムゾーンデータを選択して取得し、取得したタイムゾーンデータを第１タイムゾーンデータ２１６に記憶する。
そして、表示制御部３４０は、指針２１に、第１タイムゾーンデータ２１６に記憶されたタイムゾーンデータを表示させる（Ｓ７３）。
また、時刻修正部３６０は、第１表示用時刻データ２１４を、第１タイムゾーンデータ２１６に記憶されたタイムゾーンデータを用いて修正する。そして、表示制御部３４０は、指針２２，２３が表示する第１時刻の時分を更新させる（Ｓ７４）。そして、制御装置３００は、時刻修正処理Ｓ７０を終了させ、処理をＳ３６に戻す。
【００８９】
一方、Ｓ７１でＮＯと判定された場合、すなわち、現在設定されているモードが、第２時刻修正モードの場合、タイムゾーン設定部３５０は、タイムゾーン修正操作に応じて、第２時刻のタイムゾーンデータを修正（変更）する（Ｓ７５）。具体的には、タイムゾーンデータ記憶部２２０から、タイムゾーン修正操作に応じてタイムゾーンデータを選択して取得し、取得したタイムゾーンデータを第２タイムゾーンデータ２１７に記憶する。
そして、表示制御部３４０は、指針２１に、第２タイムゾーンデータ２１７に記憶されたタイムゾーンデータを表示させる（Ｓ７６）。
また、時刻修正部３６０は、第２表示用時刻データ２１５を、第２タイムゾーンデータ２１７に記憶されたタイムゾーンデータを用いて修正する。そして、表示制御部３４０は、指針８１，８２が表示する第２時刻の時分を更新させる（Ｓ７７）。そして、制御装置３００は、時刻修正処理Ｓ７０を終了させ、処理をＳ３６に戻す。
このように、リューズ５５が回転操作されてタイムゾーンデータが所定時間進められるか所定時間戻される毎に、表示される第１時刻または第２時刻は修正される。このため、ユーザーは、タイムゾーンデータが反映された時刻を確認しながら、タイムゾーンデータを修正できる。
【００９０】
Ｓ３８で、リューズ５５が１段位置から０段位置に押し込まれるか２段位置に引き出されるかして、時刻修正終了操作が行われたと判定された場合、制御装置３００は、タイムゾーン設定処理を終了する。これにより、第１時刻または第２時刻のタイムゾーンデータが設定される。そして、表示制御部３４０は、指針７１を移動させて電池残量を表示させ、指針２１を移動させて第１時刻の「秒」を表示させる。
【００９１】
なお、上述のタイムゾーン設定処理では、第１時刻修正モードが設定された状態で、Ａボタン５１が３秒以上押されると、第１時刻の夏時間のＯＮ、ＯＦＦが切り替わり、第２時刻修正モードが設定された状態で、Ａボタン５１が３秒以上押されると、第２時刻の夏時間のＯＮ、ＯＦＦが切り替わる。
【００９２】
［第１実施形態の作用効果］
電子時計１０によれば、ユーザーは、指針７１を確認することで、第１時刻修正モードが設定されているのか第２時刻修正モードが設定されているのかを、直感的に把握できるため、時刻を修正し易くできる。
【００９３】
ユーザーは、修正モード移行操作を行った場合に、第１時刻修正モードが設定されることを予め把握していれば、修正モード移行操作を行った場合、指針７１が第１指示位置を指示しなくても、第１時刻修正モードが設定されていることを把握できる。このため、修正モード移行操作によって第１時刻修正モードが設定された場合は、指針７１による第１指示位置の指示を行わないことで、ユーザーは、修正モード移行操作を行った後、指針７１が移動するのを待つことなく、すぐに第１時刻を修正できる。
【００９４】
表示制御部３４０は、指針７１に、第１指示位置として、指針７１の指示方向に指針２２，２３の指針軸２５が位置する指示位置を指示させ、第２指示位置として、指針７１の指示方向に指針８１，８２の指針軸８４が位置する指示位置を指示させる。これによれば、修正対象の指針が指針２２，２３であるか指針８１，８２であるかを明確に表示できる。
【００９５】
ユーザーは、第１時刻または第２時刻を別の地域の時刻に修正する場合、あわせて夏時間の設定を修正したいと考える場合がある。電子時計１０によれば、ユーザーは、第１指示位置または第２指示位置を指示した後に移動した指針７１を確認することで、夏時間の設定を確認できる。このため、夏時間の設定を修正する必要がある場合は、入力装置１６０を操作することで夏時間の設定を修正できるため、使い易さを向上できる。また、夏時間の設定を表示する指針を別途設ける必要がないため、電子時計１０が備える指針の数を少なくできる。また、ユーザーは、指針７１が第１指示位置または第２指示位置を指示した後、入力装置１６０を操作することなく、夏時間の設定を把握できるため、操作を簡単にできる。
【００９６】
ユーザーは、第１時刻または第２時刻を別の地域の時刻に修正する場合、タイムゾーン修正操作を行うことで、この操作に連動して第１時刻または第２時刻を修正できる。このため、入力装置１６０を操作して指針２２，２３または指針８１，８２の表示時刻を別の地域の時刻に手動で合わせる場合と比べて、操作を簡単にできる。
【００９７】
ユーザーは、第１時刻または第２時刻を修正する場合、タイムゾーンデータを表示する指針２１を確認することで、タイムゾーンデータを把握できるため、タイムゾーンデータの修正が必要か否かを容易に判断できる。
【００９８】
表示制御部３４０は、修正モード切替操作に応じて第１時刻修正モードまたは第２時刻修正モードが設定された場合、指針７１を移動させて第１指示位置または第２指示位置を指示させ、その後、指針２１を移動させてタイムゾーンデータを表示させ、その後、指針７１を再度移動させて夏時間の設定を表示させる。
これによれば、指針７１の移動期間と指針２１の移動期間とが重なっている場合と比べて、消費電力のピーク値を低減できる。
また、指針２１は、第１時刻および第２時刻の両方のタイムゾーンデータを表示可能に構成されているため、指針２１が表示するタイムゾーンデータが第１時刻および第２時刻のどちらのタイムゾーンデータかが分からなければ、ユーザーは、タイムゾーンデータを正しく把握できない。
このため、指針７１を指針２１よりも先に移動させることで、指針２１よりも後に移動させる場合と比べて、ユーザーは、タイムゾーンデータを早く把握できる。
【００９９】
指針２１，２２，２３は、指針軸２５が文字板１１の平面中心に位置しているため、指針軸２５が文字板１１の平面中心から外周側にずれて位置している場合と比べて、長さ寸法を大きくできる。このため、第１時刻およびタイムゾーンデータをダイナミックな動きで表示できる。
【０１００】
表示制御部３４０は、第１時刻修正モードまたは第２時刻修正モードが設定された場合、指針２２，２３，８１，８２を継続して運針させるため、ユーザーは、第１時刻修正モードまたは第２時刻修正モードが設定された後、指針２２，２３または指針８１，８２を確認することで、現在時刻を把握しながら第１時刻または第２時刻を修正できる。
【０１０１】
［第２実施形態］
第１実施形態の電子時計１０では、修正モード切替処理Ｓ５０において第１時刻修正モードまたは第２時刻修正モードが設定された場合、表示制御部３４０は、指針７１を移動させて第１指示位置または第２指示位置を指示させた後、指針２１を移動させてタイムゾーンデータを表示させている。これに対して、第２実施形態の電子時計では、表示制御部３４０は、指針７１および指針２１を同時に移動させる。そして、指針７１に第１指示位置または第２指示位置を指示させた後、予め設定された指示時間が経過すると、指針７１を移動させて夏時間の設定を表示させる。なお、第２実施形態の電子時計におけるその他の構成は、第１実施形態の電子時計１０と同様である。
【０１０２】
本実施形態の電子時計では、修正モード切替処理Ｓ５０において、Ｓ５２で第２時刻修正モードが設定されると、表示制御部３４０は、図２１に示すように、指針７１および指針２１の移動を同時に開始させ、指針７１に第２指示位置を指示させ、指針２１に第２時刻のタイムゾーンデータを表示させる。
そして、表示制御部３４０は、指針７１に第２指示位置を指示させた後、予め設定された指示時間（例えば１０秒）が経過すると、指針７１を移動させ、第２時刻における夏時間の設定を表示させる。
同様に、Ｓ５６で第１時刻修正モードが設定されると、表示制御部３４０は、指針７１および指針２１の移動を同時に開始させ、指針７１に第１指示位置を指示させ、指針２１に第１時刻のタイムゾーンデータを表示させる。そして、表示制御部３４０は、指針７１に第１指示位置を指示させた後、前記指示時間が経過すると、指針７１を移動させ、第１時刻における夏時間の設定を表示させる。
【０１０３】
［第２実施形態の作用効果］
第２実施形態においても、第１実施形態と同様の構成により同様の作用効果を得ることができる。
また、第１時刻修正モードまたは第２時刻修正モードが設定された際、指針７１の移動期間と指針２１の移動期間とが重なっていない場合と比べて、指針７１および指針２１の両方の移動が完了するまでの時間を短縮できる。
【０１０４】
特に、指針７１および指針２１が移動を開始するタイミングが同じであるため、指針７１および指針２１の両方の移動が完了するまでの時間を最短にできる。なお、例えば指針７１および指針２１を、停止するタイミングが同じになるように移動を開始させる場合も、当該時間を最短にできるが、この場合は指針７１および指針２１の移動を開始させるタイミングを計算する必要があるため、制御が複雑となる。
【０１０５】
［他の実施形態］
なお、本発明は前述の各実施形態に限定されるものではなく、本発明の目的を達成できる範囲での変形、改良等は本発明に含まれるものである。
【０１０６】
前記各実施形態では、指針７１は、第２指示位置として、指示方向に指針軸８４が位置する指示位置を指示しているが、本発明はこれに限定されない。すなわち、指針７１によって指針８１，８２が選択されているとユーザーが判断できる位置を指示していればよい。例えば、図２２に示すように、指針７１は、第２指示位置として、指示方向に伸びる直線ＶＬ１が、指針８１（指針８１，８２の長い方の指針）の先端が描く円ＶＣと交差する範囲の所定位置を指示していればよい。また、前記各実施形態のようなサブダイヤル８３を備える場合は、直線ＶＬ１がサブダイヤル８３の外周縁と交差する範囲の所定位置を指示していればよい。これらの場合も、指針８１，８２が選択されていることを表示できる。
【０１０７】
また、同様に、第１時刻修正モードが設定された場合、指針７１は、第１指示位置として、指針７１によって指針２２，２３が選択されているとユーザーが判断できる位置を指示していればよい。
なお、前記各実施形態では、指針７１の指針軸７４は、指針２２（指針２２，２３の長い方の指針）の先端が描く円の内側に位置しているが、例えば、指針７１の指針軸７４が、当該円の外側に位置している場合は、指針７１は、第１指示位置として、指示方向に伸びる直線が、当該円と交差する範囲の所定位置を指示していればよい。
【０１０８】
また、指針７１の指示方向に指針軸８４が位置する指示位置を第２指針軸指示位置とし、指針７１の指示方向に指針軸２５が位置する指示位置を第１指針軸指示位置としたとする。この場合、指針７１は、第２指針軸指示位置と第１指針軸指示位置との間の範囲において、第２指示位置として、第１指針軸指示位置よりも第２指針軸指示位置に近い範囲の所定位置を指示し、第１指示位置として、第２指針軸指示位置よりも第１指針軸指示位置に近い範囲の所定位置を指示してもよい。
【０１０９】
前記各実施形態では、指示針としての指針７１は、指針軸が文字板１１の平面中心から８時方向にずれた位置に配置されているが、前記平面中心から８時方向以外の方向にずれた位置に配置されていてもよい。
また、前記各実施形態では、モード針である指針７１が指示針として用いられているが、例えば、指針６１を指示針としてもよいし、指示針として専用の指針を別途設けてもよい。
ただし、指針２２，２３および指針８１，８２のどちらが選択されているかを分かり易くするため、指示針の指針軸は、前記各実施形態の指針７１のように、指針２２，２３の指針軸２５と、指針８１，８２の指針軸８４とを結ぶ方向における位置が、指針軸２５と指針軸８４との間に位置していることが好ましい。すなわち、図２３に示すように、平面視において、指示針の指針軸は、指針軸２５を通り、前記結ぶ方向に直交する直線ＶＬ２と、指針軸８４を通り、前記結ぶ方向に直交する直線ＶＬ３との間に位置していることが好ましい。
また、指針２２，２３および指針８１，８２のどちらが選択されているかを分かり易くするため、指示針の指針軸と指針軸２５とを結ぶ線分と、指示針の指針軸と指針軸８４とを結ぶ線分とがなす角度をθとした場合、θは３０度以上であることが好ましい。
【０１１０】
前記各実施形態では、指針２２，２３の指針軸２５は、文字板１１の平面中心に設けられ、指針８１，８２の指針軸８４は、前記平面中心から６時方向にずれた位置に設けられているが、本発明はこれに限定されない。すなわち、指針軸２５と、指針軸８４と、指示針の指針軸とが、互いに異なる位置に配置されていれば、指針２２，２３，８１，８２は文字板１１においてどこに配置されていてもよい。
【０１１１】
前記各実施形態では、表示制御部３４０は、入力装置１６０の修正モード移行操作に応じて第１時刻修正モードが設定された場合、指針７１に夏時間の設定を表示させ、第１指示位置は指示させていないが、本発明はこれに限定されない。すなわち、第１指示位置を指示させてもよい。
【０１１２】
前記各実施形態では、入力装置１６０の修正モード移行操作に応じて、第１時刻修正モードが設定されているが、本発明はこれに限定されない。すなわち、第２時刻修正モードが設定されてもよい。
ただし、通常、ローカルタイムである第１時刻の方がホームタイムである第２時刻よりも修正頻度は高いと考えられるため、修正モード移行操作に応じて第１時刻修正モードが設定された方が、第２時刻修正モードが設定されるよりも使い勝手がよい。
【０１１３】
前記各実施形態では、指針７１は、第１指示位置または第２指示位置を指示した後、移動して所定の情報として夏時間の設定を表示しているが、本発明はこれに限定されない。例えば、カレンダー情報など、時刻と関連する他の情報を表示してもよい。また、第１時刻修正モードまたは第２時刻修正モードが終了するまで、継続して第１指示位置または第２指示位置を指示していてもよい。
【０１１４】
また、各実施形態において、指針７１は、第１指示位置または第２指示位置を指示している場合、入力装置１６０の操作があった場合、移動して夏時間の設定などの所定の情報を表示してもよい。これによれば、指針７１が第１指示位置または第２指示位置を指示した後、ユーザーは、入力装置１６０を操作し、移動した指針７１を確認することで、所定の情報を把握できる。
【０１１５】
前記各実施形態では、タイムゾーン修正操作が行われることで、第１時刻または第２時刻が修正されるが、本発明はこれに限定されない。例えば、リューズ５５を回転操作して、指針２２，２３または指針８１，８２の表示時刻を目的の地域の時刻に手動で合わせる構成としてもよい。
【０１１６】
前記各実施形態では、第１時刻修正モードまたは第２時刻修正モードが設定された場合、指針２１はタイムゾーンデータを表示するが、本発明はこれに限定されない。すなわち、第１時刻および第２時刻の「秒」を継続して表示してもよい。
また、指針２１とは異なる専用の指針が、タイムゾーンデータを表示してもよい。
【０１１７】
前記各実施形態では、第１時刻修正モードまたは第２時刻修正モードが設定された場合、指針２２，２３および指針８１，８２は継続して運針するが、本発明はこれに限定されない。すなわち、停止していてもよい。
【０１１８】
前記各実施形態において、各指針２１，２２，２３，６１，７１，８１，８２，９１は、液晶パネル等からなる表示部によって表示された針の画像であってもよい。ただし、この場合は、例えば、指針２１，２２および８１，８２のうち、修正対象の指針を点滅表示させることもできるため、当該指針が前記各実施形態のように針部材で構成されている場合の方が、指示針を用いる有用性が高い。
また、指示針としての指針７１は、ディスク上に形成された針形状の印刷であってもよい。
【０１１９】
前記各実施形態では、２組の時分針が設けられているが、本発明はこれに限定されない。すなわち、１組以上の時分針が追加して設けられていてもよい。この場合、追加された各時分針の時刻修正モードが設定されると、指針７１は、修正対象の指針が当該時分針であることを示す指示位置を指示する。
【０１２０】
前記各実施形態では、タイムゾーンデータの修正に連動して、対応する夏時間の設定が指針７１によって表示されるものではないが、本発明はこれに限定されない。すなわち、各タイムゾーンデータと夏時間の設定とを記憶しておき、タイムゾーンデータの修正に連動して、対応する夏時間の設定を指針７１によって表示させてもよい。
【０１２１】
前記各実施形態では、第１タイムゾーンデータ２１６および第２タイムゾーンデータ２１７は、ＥＥＰＲＯＭ２０２にのみ記憶されているが、本発明はこれに限定されない。
例えば、第１タイムゾーンデータ２１６および第２タイムゾーンデータ２１７が、ＥＥＰＲＯＭ２０２だけではなく、ＲＡＭ２０１にも記憶される構成としてもよい。
この場合、タイムゾーンデータの修正中は、タイムゾーンデータをＲＡＭ２０１に記憶させておき、タイムゾーンデータが確定した際に、タイムゾーンデータをＥＥＰＲＯＭ２０２に記憶させることで、ＥＥＰＲＯＭ２０２へのアクセスを最小限にできる。
【０１２２】
前記各実施形態では、位置情報衛星の例として、ＧＰＳ衛星１００について説明したが、本発明はこれに限定されない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【０１２３】
本発明は、衛星信号を受信しない電子時計にも利用できる。また、電子時計だけではなく、リスト型機器や携帯電話など、時刻表示機能を備えている電子機器に広く利用できる。
【符号の説明】
【０１２４】
１０…電子時計（電子機器）、１１…文字板、２１…指針（タイムゾーン指針）、２２…指針（第１分針）、２３…指針（第１時針）、２５，７４，８４…指針軸、４６…タイムゾーン表示、７１…指針（指示針）、８１…指針（第２分針）、８２…指針（第２時針）、１３０…二次電池、１３１…充電回路、１３５…ソーラーパネル、１４０…駆動機構、１４１…表示装置、１５０…計時装置、１６０…入力装置（操作部）、１７０…検出装置、２００…記憶装置、２０１…ＲＡＭ、２０２…ＥＥＰＲＯＭ、３００…制御装置、３１０…測時部、３２０…測位部、３３０…修正モード設定部、３４０…表示制御部、３５０…タイムゾーン設定部、３６０…時刻修正部、４００…受信装置。
【図１】
0006555165.tif 000002
【図２】
0006555165.tif 000003
【図３】
0006555165.tif 000004
【図４】
0006555165.tif 000005
【図５】
0006555165.tif 000006
【図６】
0006555165.tif 000007
【図７】
0006555165.tif 000008
【図８】
0006555165.tif 000009
【図９】
0006555165.tif 000010
【図１０】
0006555165.tif 000011
【図１１】
0006555165.tif 000012
【図１２】
0006555165.tif 000013
【図１３】
0006555165.tif 000014
【図１４】
0006555165.tif 000015
【図１５】
0006555165.tif 000016
【図１６】
0006555165.tif 000017
【図１７】
0006555165.tif 000018
【図１８】
0006555165.tif 000019
【図１９】
0006555165.tif 000020
【図２０】
0006555165.tif 000021
【図２１】
0006555165.tif 000022
【図２２】
0006555165.tif 000023
【図２３】
0006555165.tif 000024